(57)【特許請求の範囲】
【請求項１】
ＵＥにおいてアクセス制御を実施する方法であって、以下のステップを、すなわち、
ｂ．前記ＵＥが、有効であり、また禁止されていない特別なアクセス・レベルを有するかどうかを決定するステップと、有するときには、前記ＵＥが現在のセルにアクセスできることを決定するステップと、
ｄ．システム情報ブロックが前記ＵＥの拡張アクセス禁止（ＥＡＢ）パラメータを含むかどうかを決定するステップと、含むときには、
ｅ．前記ＵＥが、前記ＵＥの前記拡張アクセス禁止（ＥＡＢ）パラメータに従って、前記拡張アクセス禁止に基づいて前記現在のセルにアクセスできるかどうかを決定するステップと
を含む方法。
【請求項２】
前記ステップｅは、以下のステップを、すなわち、
ｉ．システム情報ブロックが、前記ＵＥに対応するカテゴリに関連のある前記拡張アクセス禁止パラメータを含むかどうかを決定するステップと、
ｉｉ．含まない場合に、前記システム情報が、前記ＵＥのために適用可能な拡張アクセス禁止パラメータを含むかどうかを決定するステップと、
前記ステップｉの前記決定結果が含むであり、または前記ステップｉｉの前記決定結果が含むである場合、前記ＵＥが、前記現在のセルにアクセスできるかどうかを決定するために前記拡張アクセス禁止パラメータを適用するステップと、
前記ステップｉｉの前記決定結果が含まないである場合、前記ＵＥが、前記現在のセルにアクセスできることを決定するステップと
を含む、請求項１に記載の方法。
【請求項３】
前記ステップｉｉは、
前記システム情報ブロックが、前記ＵＥに対応するカテゴリをカバーする前記拡張アクセス禁止パラメータを含むかどうかを決定するステップ
を含む、請求項２に記載の方法。
【請求項４】
ａ．アクセス層が、上位層からサービス要求を受信するステップ
をさらに含み、
前記ステップｅが、前記ＵＥが前記現在のセルにアクセスできないことを決定するとき、
ｆ．前記拡張アクセス禁止に基づいてアクセスを拒否する理由について前記上位層に通知するステップ
をさらに含む、請求項１に記載の方法。
【請求項５】
前記ステップｂの前記決定結果が有さないであるときに、続いて、前記のステップｄまたはステップｅを実施し、または前記ＵＥが前記現在のセルにアクセスできるかどうかを決定するために、アクセス・クラス禁止（ＡＣＢ）を適用し、
前記ステップｄの前記決定結果が有さないであるときに、続いて、前記ＵＥが前記現在のセルにアクセスできるかどうかを決定するために前記アクセス・クラス禁止（ＡＣＢ）を実施し、
前記ステップｅが、前記ＵＥが前記拡張アクセス禁止に基づいて前記現在のセルにアクセスできることを決定した後に、続いて、前記ＵＥが前記現在のセルにアクセスできるかどうかを決定するために前記アクセス・クラス禁止（ＡＣＢ）を実施する、請求項１に記載の方法。
【請求項６】
前記のステップｂと、ステップｄとの間に以下のステップを、すなわち、
ｃ．アクセス・クラス禁止（ＡＣＢ）を適用するステップ、および前記ＵＥが、前記アクセス・クラス禁止に基づいて前記現在のセルにアクセスできるかどうかを決定するステップと、
前記ＵＥがアクセスできることを決定するときに、続いて、前記ステップｄを実施するステップと、
前記ＵＥがアクセスできないことを決定するときに、前記アクセス・クラス禁止に基づいてアクセスを拒否する理由について前記上位層に通知するステップと
をさらに含む、請求項４に記載の方法。
【請求項７】
前記ＵＥの前記上位層は、アクセスを拒否する理由に従って、前記サービス要求の再開が待つ必要がある最短時間を決定し、
前記拡張アクセス禁止に基づいてアクセスを拒否することに対応する前記最短時間は、前記アクセス・クラス禁止に基づいてアクセスを拒否することに対応する前記最短時間よりも短くない、請求項６に記載の方法。
【請求項８】
前記ステップｂの前に以下のステップ、すなわち、
アクセス・タイマーがタイミング状態にあるかどうかを決定するステップと、
前記アクセス・タイマーが前記タイミング状態にないときに、前記ステップｂと、後続のステップとを実施するステップと、そうでないときに、前記ＵＥが前記現在のセルにアクセスできないことを決定するステップと
をさらに含み、前記アクセス・タイマーは、以下のタイマー、すなわち
待ち時間タイマーと、
遅延許容サービスのために構成されたアクセス禁止タイマーと、
ＵＥにより開始されたデータ・サービスのために構成されたアクセス禁止タイマーと、
ＵＥにより開始された信号サービスのために構成されたアクセス禁止タイマーと
のうちの少なくとも１つのタイマーを備える、請求項１に記載の方法。
【請求項９】
前記ＵＥは、前記拡張アクセス禁止のために適用可能な前記ＵＥを備え、前記サービス要求は、遅延許容サービスを含む、請求項４に記載の方法。
【請求項１０】
ＵＥの中で使用されるアクセス制御モジュールであって、以下のコンポーネントを、すなわち、
前記ＵＥが、有効であり、また禁止されていない特別なアクセス・レベルを有するかどうかを決定するために使用される第１の決定ユニットであって、有するときには、前記ＵＥが現在のセルにアクセスできることを決定する第１の決定ユニットと、
システム情報ブロックが前記ＵＥの拡張アクセス禁止（ＥＡＢ）パラメータを含むかどうかを決定するために使用される第２の決定ユニットと、
前記第２の決定ユニットが、含むことを決定する場合に、前記ＵＥの前記拡張アクセス禁止パラメータに従って、前記ＵＥが拡張アクセス禁止に基づいて前記現在のセルにアクセスできるかどうかを決定するために使用される第３の決定ユニットと
を備えるアクセス制御モジュール。
【請求項１１】
前記第３の決定ユニットは、さらに、前記第３の決定ユニットが、前記ＵＥがアクセスできないことを決定するときに、前記拡張アクセス禁止に基づいてアクセスを拒否する理由について上位層に通知するために使用される、請求項１０に記載のアクセス制御モジュール。
【請求項１２】
前記アクセス制御モジュールは、前記ＵＥが前記現在のセルにアクセスできるかどうかを決定するために、アクセス・クラス禁止（ＡＣＢ）を適用するために使用される第４の決定ユニットをさらに備え、前記第４の決定ユニットは、以下の場合、すなわち、
前記第１の決定ユニットの前記決定結果が有さないである場合と、
前記第２の決定ユニットの前記決定結果が含まないである場合と、
前記第３の決定ユニットが、前記ＵＥが前記拡張アクセス禁止に基づいて前記現在のセルにアクセスできることを決定する場合と
のうちのいずれか１つが起こるときに動作する、請求項１０に記載のアクセス制御モジュール。
【請求項１３】
前記アクセス制御モジュールは、前記ＵＥが、前記現在のセルにアクセスできるかどうかを決定するために、アクセス・クラス禁止（ＡＣＢ）を適用するために使用される第４の決定ユニットをさらに備え、
前記第４の決定ユニットが、前記ＵＥがアクセスできることを決定するときに、続いて、前記の第２および第３の決定ユニットが動作し、前記ＵＥがアクセスできないことを決定するときに、前記第４の決定ユニットは、さらに、前記アクセス・クラス禁止に基づいてアクセスを拒否する理由について上位層に通知するために使用される、請求項１０に記載のアクセス制御モジュール。
【請求項１４】
前記アクセス制御モジュールは、アクセスを拒否する理由に従って、サービス要求の再開が待つ必要がある最短時間を決定し、
前記拡張アクセス禁止に基づいてアクセスを拒否することに対応する前記最短時間は、前記アクセス・クラス禁止に基づいてアクセスを拒否することに対応する前記最短時間よりも短くない、請求項１３に記載のアクセス制御モジュール。
【請求項１５】
請求項１０乃至１４のいずれか１項に記載のアクセス制御モジュールを備えるＵＥ。
【発明の詳細な説明】
【技術分野】
【０００１】
本発明は、モバイル通信技術に関し、詳細には、アクセス制御を実施する方法およびＵＥに関する。
【背景技術】
【０００２】
アクセス制御は、ランダム・アクセス過負荷や信号過負荷など、ネットワーク側における過負荷をもたらすことを回避するために、ＵＥがサービス要求を開始できるかどうかを決定するために、ＵＥがネットワークにアクセスするときに実施される必要がある。ユニバーサル・モバイル・テレコミュニケーション・システム（略して、ＵＭＴＳ：ｕｎｉｖｅｒｓａｌ  ｍｏｂｉｌｅ  ｔｅｌｅｃｏｍｍｕｎｉｃａｔｉｏｎｓ  ｓｙｓｔｅｍ）と、ロング・ターム・エボリューション（略して、ＬＴＥ：ｌｏｎｇ  ｔｅｒｍ  ｅｖｏｌｕｔｉｏｎ）システムとにおいては、ＵＥは、１６個のアクセス・クラス（ＡＣ：ａｃｃｅｓｓ  ｃｌａｓｓｅｓ）を用いて分類されることがあり、ＡＣ  ０〜９は、ランダムに端末に割り付けられる通常のクラスに属し、ＡＣ  １０は、端末に割り付けられていない緊急サービスを示し、ＡＣ  １１は、ネットワーク・オペレーションのために使用され、ＡＣ  １２は、安全サービスのためのものであり、ＡＣ  １３は、公共サービス・カテゴリ、例えば、水道供給業者、ガス供給業者のためのものであり、ＡＣ  １４は、緊急サービスを示し、ＡＣ  １５は、オペレーション・スタッフを示す。端末は、ＡＣ  ０〜９のうちの１つを用いて構成されてもよいし、またＡＣ  １１〜１５のうちの１つまたは複数を用いて構成されてもよく、またこれらの構成情報は、ユニバーサル加入者アイデンティティ・モジュール（略して、ＵＳＩＭ：ｕｎｉｖｅｒｓａｌ  ｓｕｂｓｃｒｉｂｅｒ  ｉｄｅｎｔｉｔｙ  ｍｏｄｕｌｅ）に記憶される。ＵＭＴＳとＬＴＥとにおけるネットワーク側は、それぞれ異なるアクセス・クラスについてのアクセス・クラス禁止（略して、ＡＣＢ：ａｃｃｅｓｓ  ｃｌａｓｓ  ｂａｒｒｅｄ）パラメータを含むシステム情報をブロードキャストする。アクセス・クラス禁止パラメータの構成モードは、禁止されたもの、および禁止されていないものという２つのタイプ、または使用禁止ファクタを含む列挙タイプである。ＵＥが、サービス要求を開始する必要がある場合、最初に、ＵＥは、それが、アクセス・セルによってブロードキャストされるアクセス・クラス禁止パラメータに従って直ちにサービス要求を開始できるかどうかを決定する必要がある。
【０００３】
モバイル通信の急速な発展とともに、それは、広範囲の自動的な情報収集を達成するために、「モノのインターネット（Ｉｎｔｅｒｎｅｔ  ｏｆ  ｔｈｉｎｇｓ）」を必要としており、そのようにして、それは、ネットワークの中に大量のマシン・タイプの通信デバイス（略して、ＭＤ：ｍａｃｈｉｎｅ  ｔｙｐｅ  ｃｏｍｍｕｎｉｃａｔｉｏｎ  ｄｅｖｉｃｅｓ）を導入する必要がある。現在のＵＥの数量をはるかに超過した多数のこれらのデバイスのために、ネットワーク側は、信号過負荷、またはランダム・アクセス過負荷などを回避するために、拡張アクセス制御（ＥＡＢ：ｅｘｔｅｎｄｅｄ  ａｃｃｅｓｓ  ｃｏｎｔｒｏｌ）メカニズムを導入する。拡張アクセス禁止のために適用可能なＵＥ（ＥＡＢを用いて構成されたＵＥ）は、それが、ネットワークによってブロードキャストされる拡張アクセス禁止パラメータに従って、ネットワークにアクセスし、またサービス要求を開始できるかどうかを決定する必要がある。
【０００４】
現在の技術に基づいて、ネットワーク側は、システム情報を経由して、アクセス・クラス禁止パラメータと、拡張アクセス禁止パラメータとをブロードキャストし、またＵＥは、ネットワークにアクセスするときに、アクセス制御を実施する必要がある。通常のＵＥ（拡張アクセス禁止を用いて構成されていないＵＥ）では、それは、現在のプロトコルに専用にされたアクセス制御を実施する方法を使用する。拡張アクセス禁止のために適用可能なＵＥでは、それが、遅延許容サービス、または低優先順位サービスと呼ばれるサービスを開始するときに、どのようにしてアクセス制御を詳細に実施するべきかは、当技術分野においては、決定されていない。今では、拡張アクセス禁止パラメータ構成のいくつかの詳細な要件は、拡張アクセス禁止パラメータが、列挙情報セル（禁止されたもの、また禁止されていないものを含む）を使用し、またネットワーク側が、ＵＥの各アクセス・クラスについて、それぞれ禁止されたもの、または禁止されていないものについての１ビット・セルを構成し、ネットワーク側が、ＵＥのカテゴリについて、対応する拡張アクセス禁止パラメータを構成できることなど、規定されてきている。しかし、アクセス制御のＵＥの実装形態のための詳細なプロシージャについての既存のスキームは、存在しない。アクセス・クラス禁止に従ってアクセス制御を実施する現在の方法は、ＵＥのアクセス・タイプを考慮する必要がなく、またアクセスの失敗の理由および他のファクタを考慮する必要がないので、アクセス制御の現在のスキームは、拡張アクセス禁止に従ってアクセス制御を実施するスキームには適用することができない。
【先行技術文献】
【非特許文献】
【０００５】
【非特許文献１】ＬＴＥリリース１０
【発明の概要】
【発明が解決しようとする課題】
【０００６】
本発明が解決すべき技術的問題は、ＵＥが、遅延許容サービスを開始する間に、アクセス制御と、アクセス決定スキームとを実施する方法およびＵＥを提供することである。
【課題を解決するための手段】
【０００７】
上記の技術的問題を解決するために、本発明の一態様は、ＵＥにおいてアクセス制御を実施する方法を提供しており、そこでは、本方法は、以下のステップを、すなわち、ｂ．ＵＥが、有効であり、また禁止されていない特別なアクセス・レベルを有するかどうかを決定するステップと、有するときには、ＵＥが現在のセルにアクセスできることを決定するステップと、ｄ．システム情報ブロックが、ＵＥの拡張アクセス禁止（ＥＡＢ：ｅｘｔｅｎｄｅｄ  ａｃｃｅｓｓ  ｂａｒｒｉｎｇ）パラメータを含むかどうかを決定するステップと、含むときには、ｅ．ＵＥが、ＵＥの拡張アクセス禁止（ＥＡＢ）パラメータに従って、拡張アクセス禁止に基づいて現在のセルにアクセスできるかどうかを決定するステップとを含む。
【０００８】
この態様の長所は、拡張アクセス禁止に基づいてアクセス制御の方法を提供することである。
【０００９】
「システム情報ブロックが、ＵＥの拡張アクセス禁止（ＥＡＢ）パラメータを含むかどうか」は、システム情報ブロックが、ＵＥによって選択されるネットワークに対応する拡張アクセス禁止パラメータを含むかどうかということを意味し、あるいはシステム情報ブロックが、拡張アクセス禁止パラメータを含むかどうかということを意味する。
【００１０】
さらに、ステップｅは、以下のステップを、すなわち、
ｉ．システム情報が、ＵＥに対応するカテゴリに関連のある拡張アクセス禁止パラメータを含むかどうかを決定するステップと、
ｉｉ．含まない場合に、システム情報が、ＵＥのために適用可能な拡張アクセス禁止パラメータを含むかどうかを決定するステップと、
ステップｉの決定結果が含むであり、またはステップｉｉの決定結果が含むである場合、ＵＥが現在のセルにアクセスできるかどうかを決定するために拡張アクセス禁止パラメータを適用するステップと、
ステップｉｉの決定結果が含まないである場合、ＵＥが現在のセルにアクセスできることを決定するステップと
を含む。
【００１１】
適用可能な拡張アクセス禁止パラメータは、ＵＥに対応するカテゴリをカバーする拡張アクセス禁止パラメータを含むことが好ましい。
【００１２】
このさらなる実施形態の長所は、それが、ＵＥのために対応する拡張アクセス禁止パラメータを選択できることである。
【００１３】
さらに、本方法は、
ａ．アクセス層が、上位層からサービス要求を受信するステップ
をさらに含み、
ステップｅが、ＵＥが現在のセルにアクセスできないことを決定するとき、本方法は、
ｆ．拡張アクセス禁止に基づいてアクセスを拒否する理由について上位層に通知するステップ
をさらに含む。
【００１４】
さらに、ステップｂの決定結果が有さないであるときに、ステップｄまたはステップｅを継続し、またはＵＥが現在のセルにアクセスできるかどうかを決定するために、アクセス・クラス禁止（ＡＣＢ）を適用し、
ステップｄの決定結果が有さないであるときに、ＵＥが現在のセルにアクセスできるかどうかを決定するためにアクセス・クラス禁止（ＡＣＢ）を適用し続け、
ステップｅが、ＵＥが拡張アクセス禁止に基づいて現在のセルにアクセスできることを決定した後に、ＵＥが現在のセルにアクセスできるかどうかを決定するためにアクセス・クラス禁止（ＡＣＢ）を適用し続ける。
【００１５】
この実施形態においては、拡張アクセス禁止に基づいたアクセス制御の後に、アクセス・クラス禁止に基づいたアクセス制御は、実施され、またアクセス制御プロセスは、さらに完了される。
【００１６】
さらに、本方法は、ステップｂと、ステップｄとの間に以下のステップを、すなわち、
ｃ．アクセス・クラス禁止（ＡＣＢ）を適用するステップ、およびＵＥが、アクセス・クラス禁止に基づいて現在のセルにアクセスできるかどうかを決定するステップと、
ＵＥがアクセスできることを決定するときに、ステップｄを継続するステップと、
ＵＥがアクセスできないことを決定するときに、アクセス・クラス禁止に基づいてアクセスを拒否する理由について上位層に通知するステップと
をさらに含む。
【００１７】
本実施形態においては、拡張アクセス禁止に基づいたアクセス制御の前に、アクセス・クラス禁止に基づいたアクセス制御は、前もって実施され、またアクセス制御プロセスは、さらに完了される。
【００１８】
さらに、ＵＥのアクセス層は、アクセス制御の失敗の理由について、すなわち、拡張アクセス禁止に基づいたアクセスの失敗の決定、またはアクセス・クラス禁止に基づいたアクセスの失敗の決定についてその非アクセス層に通知する。ＵＥの非アクセス層は、アクセスを拒否する理由に従って、サービス要求の再開が待つ必要がある最短時間を決定する。
【００１９】
この実施形態の長所は、その実施形態が、オーバーヘッドを節約するために、サービス要求のサービス拒否レートを低減させることができることである。
【００２０】
さらに、本方法は、ステップｂの前に以下のステップを、すなわち、
アクセス・タイマーがタイミング状態にあるかどうかを決定するステップと、
それがタイミング状態にないときに、ステップｂと後続のステップとを実施するステップと、そうでないときに、ＵＥが現在のセルにアクセスできないことを決定するステップと
をさらに含み、そこでは、アクセス・タイマーは、以下のうちの、すなわち
待ち時間タイマーと、
遅延許容サービスのために構成されたアクセス禁止タイマーと、
ＵＥにより開始されたデータ・サービスのために構成されたアクセス禁止タイマーと、
ＵＥにより開始された信号サービスのために構成されたアクセス禁止タイマーと
のうちの少なくとも１つのタイマーを備える。
【００２１】
さらに、ＵＥは、拡張アクセス禁止のために適用可能なＵＥを備え、またサービス要求は、遅延許容サービスを含む。
【００２２】
それに応じて、製品の図から、本発明の第２の態様は、ＵＥのために使用されるアクセス制御モジュールを提供しており、そこでは、そのアクセス制御モジュールは、以下のコンポーネントを、すなわち、
ＵＥが、有効であり、また禁止されていない特別なアクセス・レベルを有するかどうかを決定するために使用される第１の決定ユニットであって、有するときには、ＵＥが現在のセルにアクセスできることを決定する第１の決定ユニットと、
システム情報ブロックが、ＵＥの拡張アクセス禁止（ＥＡＢ）パラメータを含むかどうかを決定するために使用される第２の決定ユニットと、
第２の決定ユニットが、含むことを決定するときに、ＵＥが、ＵＥの拡張アクセス禁止パラメータに従って、拡張アクセス禁止に基づいて現在のセルにアクセスできるかどうかを決定するために使用される第３の決定ユニットと
を備える。
【００２３】
また、本発明の第３の態様は、第２の態様に従ってアクセス制御モジュールを備えるＵＥを提供している。
【００２４】
本スキームは、遅延許容サービスを開始するときに、拡張アクセス禁止（ＥＡＢ）のＵＥのために適用され、ネットワーク側は、この種のＵＥが、ネットワークにアクセスするときに、アクセス決定問題を解決するためにＵＥに対するアクセス制御を実施することができ、同時に、本スキームは、現在のプロトコルの部分的な内容を再使用して、プロトコルに対する修正を低減させる。
【００２５】
以下の図面を参照して非限定的な実施形態についての詳細な説明を読むことにより、本発明の他の特徴、目的および長所が、より明らかになるであろう。
【図面の簡単な説明】
【００２６】
【図１】詳細な実施形態１において、アクセス制御を実施する方法の図である。
【図２】ＵＥのカテゴリの従属的な関係の図である。
【図３】詳細な実施形態２において、アクセス制御を実施する方法の図である。
【発明を実施するための形態】
【００２７】
以下は、詳細な複数の実施形態を説明することにより、本発明を詳細に明らかにするであろう。それらの実施形態と、それらの特徴とは、競合していない場合には、互いに組み合わせられ得ることに注意する必要がある。
【００２８】
詳細な実施形態１
ＬＴＥシステムにおいては、ＵＥは、アイドル状態にある。ＵＥのＵＳＩＭは、拡張アクセス禁止構成が、真であるように設定され得ることなど、有効な拡張アクセス禁止を用いて構成されている。それに加えて、ＵＥのＵＳＩＭは、ＵＥのアクセス・レベルが、８および１１であることを示す。
【００２９】
ＵＥが、遅延許容サービス、または低優先順位サービスを開始する必要があるときに、ＵＥの非アクセス層（略して、ＮＡＳ：ｎｏｎ−ａｃｃｅｓｓ  ｓｔｒａｔｕｓ）は、ＵＥのアクセス層（ＡＳ：ａｃｃｅｓｓ  ｓｔｒａｔｕｓ）に対して、遅延許容範囲または低優先順位の確立原因を送信する。ＵＥのＡＳにおいてアクセス決定を実施するプロセスは、図１に示される。
【００３０】
ステップ１０１：ＵＥのＡＳは、その上位層（ＮＡＳ）のサービス要求を受信し、またサービスの確立原因は、遅延許容範囲である。
【００３１】
ステップ１０２：ＵＥは、待ち時間タイマー（Ｔ３０２）が、作動しているかどうかを決定し、作動している場合に、ＵＥは、セルに対するアクセスが禁止されるものとして考え、Ｔ３０２が、作動していない場合には、ＵＥは、ステップ１０３を実施する。
【００３２】
ここで、Ｔ３０２は、現在のプロトコルにおいて規定されるタイマーであり、ネットワークにアクセスするときに、ＵＥレシーバのＲＲＣ接続が、待ち時間または延長された待ち時間についての情報セルを含む信号を拒否する場合、ＵＥは、タイマーＴ３０２（値は、待ち時間または延長された待ち時間の値に等しい）を開始する必要があることに注意する必要がある。リリース１０においては、拡張アクセス禁止のために適用可能なＵＥは、緊急サービスと、遅延許容サービスとを開始することだけができ、そのようにして通常はＴ３０２は、開始せず、またステップ１０２は、実施されないこともあるが、ステップ１０３は、直接に実施されることもある。
【００３３】
プロトコルの後のバージョンにおいては、拡張アクセス禁止のために適用可能なＵＥは、モバイル開始データやモバイル開始信号など、他のタイプのサービスを開始することができ、またＴ３０２は、開始することができる。この場合に、ステップ１０２は、実施される必要がある。また、モバイル開始データ、またはモバイル開始信号について対応するアクセス禁止タイマー（Ｔ３０３、Ｔ３０５）が、存在しており、そのときにはＵＥは、ステップ１０２において、Ｔ３０２、Ｔ３０３またはＴ３０５が、作動しているかどうかを決定する必要がある。それらのうちの１つが、作動している場合、ＵＥは、現在のセルにアクセスできないことが、決定される。
【００３４】
それに加えて、プロトコルは、遅延許容サービスのための新しいアクセス禁止タイマーを設定することができ、そのときには、ステップ１０２は、依然としてタイマーが、作動しているかどうかを決定する必要があり、作動している場合に、ＵＥは、現在のセルにアクセスすることができない。
【００３５】
１０３：ＵＥは、システム情報ブロック（ＳＩＢ：ｓｙｓｔｅｍ  ｉｎｆｏｒｍａｔｉｏｎ  ｂｌｏｃｋ）が、ＵＥによって選択されるネットワークに対応する拡張アクセス禁止パラメータを含み、または拡張アクセス禁止パラメータを含むかどうかを決定し、含む場合、ステップ１０４を実施し、そうでないときにはステップ１１１を実施する。
【００３６】
ここで、ＵＥによって選択されるネットワークは、ＵＥによって選択されるセルが属するネットワークを意味しており、選択されたセル（すなわち、現在の常駐セル）のシステム情報は、１つまたは複数の公衆陸上移動体ネットワーク（略して、ＰＬＭＮ：ｐｕｂｌｉｃ  ｌａｎｄ  ｍｏｂｉｌｅ  ｎｅｔｗｏｒｋ）の識別情報を含み、ＵＥは、アタッチされるときに１つのＰＬＭＮを選択する。ＵＥのＮＡＳは、ＵＳＩＭにおいて、構成パラメータに従ってＰＬＭＮ選択を決定する。セルが、ネットワーク共用と呼ばれるように、複数のＰＬＭＮ識別情報をブロードキャストするときに、ネットワーク側は、各ネットワークについての独立した拡張アクセス禁止パラメータの組をブロードキャストし、またはすべてのネットワークについてパラメータの組を構成できる。ネットワーク側が、各ネットワークについて、独立した拡張アクセス禁止パラメータの組をブロードキャストする場合、ＵＥは、選択されたネットワークに対応する拡張アクセス禁止パラメータが、存在するかどうかを決定する必要があり、存在する場合ステップ１０４を実施する。
【００３７】
ステップ１０４：ＵＥは、ＵＥが、有効なＡＣ  １１〜１５を含むかどうかを決定し、含む場合、ステップ１０５を実施し、含まない場合には、ステップ１０６を実施する。
【００３８】
ステップ１０５：ＵＥは、有効なＡＣ  １１〜１５のうちの少なくとも１つが禁止されていないかどうかを決定し、禁止されていない場合、ＵＥは、現在のセルが禁止されていないことを考慮し、ＵＥの最初のアクセス制御は、成功しており、そのときには、ＵＥは、ランダム・アクセスを開始し、セルにおいて、無線リソース制御（略して、ＲＲＣ：ｒａｄｉｏ  ｒｅｓｏｕｒｃｅ  ｃｏｎｔｒｏｌ）接続を確立し、またサービスを行うことができ、ＵＥが、すべての有効なＡＣ  １１〜１５が禁止されることを見出す場合には、ＵＥは、ステップ１０６を実施する必要がある。
【００３９】
ここでは、ＵＥは、システム情報の形で、ブロードキャストされる特定のＡＣ（すなわち、ＡＣ  １１〜１５）についてのＡＣ−禁止に基づいて決定を実施し、またＵＥが、有効なＡＣ  １１〜１５が禁止されることを見出す場合、それは、ステップ１０６を実施する必要がある。
【００４０】
ここで、システム情報が、特定のＡＣについてＡＣ−禁止パラメータをブロードキャストしない場合、ＵＥは、現在のセルが、禁止されていないことを考慮することに注意する必要がある。
【００４１】
他の実施形態においては、ＵＥが、すべての有効なＡＣ  １１〜１５が禁止されることを見出す場合に、ＵＥは、直接にステップ１１１を実施することができる。
【００４２】
ステップ１０３の位置と、１０４、１０５の位置とが、置き換えられる可能性があり、すなわち、有効で、禁止されていないＡＣが存在するかどうかを最初に決定し、また有していないときに、ステップ１０３の決定を実施することに注意されたい。
【００４３】
ステップ１０６：ＵＥは、ＵＥのカテゴリに対応する拡張アクセス禁止パラメータが、存在するかどうかを決定し、存在する場合に、ステップ１０９を実施し、そうでない場合には、ステップ１０７を実施する。
【００４４】
ここでは、ＵＥのカテゴリの定義は、以下、すなわち、
カテゴリＡ：拡張アクセス禁止のために適用可能に構成された端末、
カテゴリＢ：拡張アクセス禁止のために適用可能に構成され、またＨＰＬＭＮ（ホーム公衆陸上移動体ネットワーク（Ｈｏｍｅ  Ｐｕｂｌｉｃ  Ｌａｎｄ  Ｍｏｂｉｌｅ  Ｎｅｔｗｏｒｋ））と、ＥＨＰＬＭＮ（同等なホームＰＬＭＮ）との中にない端末、
カテゴリＣ：拡張アクセス禁止のために適用可能に構成され、またＨＰＬＭＮと、ＥＨＰＬＭＮと、好ましいＰＬＭＮとの中にない端末
を含む。
【００４５】
ＵＥのＵＳＩＭは、署名されたＨＰＬＭＮと、ＥＨＰＬＭＮと、好ましいＰＬＭＮとの識別情報を記憶し、ＵＥは、ネットワークにアクセスするときにＰＬＭＮを選択することになり、またＵＥは、ＰＬＭＮ識別情報と、ＵＳＩＭの中のＨＰＬＭＮ、ＥＨＰＬＭＮ、および好ましいＰＬＭＮとに従ってそのカテゴリを決定することができる。図２は、３つのカテゴリの間の従属的な関係を示しており、カテゴリＡの範囲は、カテゴリＢよりも大きいが、カテゴリＢの範囲は、カテゴリＣよりも大きいことが、分かる可能性がある。好ましいＰＬＭＮが存在しない場合、カテゴリＢおよびＣの範囲は、同じである。ＵＥは、最も適切なカテゴリをマッチさせる必要があり、何らかのＵＥが、カテゴリＡと、カテゴリＢとの両方に属するが、カテゴリＣに属さない場合、最もマッチした規則に従って、ＵＥは、カテゴリＢに属する。
【００４６】
本ステップにおいて、ＵＥは、システム情報の形でブロードキャストされる拡張アクセス禁止パラメータに依存しており、すなわち、それが、そのカテゴリに対応する拡張アクセス禁止パラメータを含む場合に、ＵＥは、ステップ１０９を実施する。システム情報の形でブロードキャストされる拡張アクセス禁止パラメータは、ＵＥによって選択されるＰＬＭＮに対応する拡張アクセス禁止パラメータを意味する。
【００４７】
ステップ１０７：ＵＥは、第２のマッチを実施する必要がある。第２のマッチの目的は、ＵＥのために適用可能な拡張アクセス禁止パラメータを見出すことであり、ＵＥは、そのカテゴリに最も近い範囲を有する、より大きなカテゴリを用いて拡張アクセス禁止パラメータを適用する必要がある。システム情報が、カテゴリＣのＵＥのために、カテゴリＣに対応する拡張アクセス禁止パラメータを含まない場合に、それは、最初に、カテゴリＢに対応する拡張アクセス禁止パラメータをマッチさせる必要があり、システム情報が、カテゴリＢに対応する拡張アクセス禁止パラメータを含む場合に、カテゴリＣのＵＥは、拡張アクセス禁止パラメータを適用し、システム情報が、カテゴリＢに対応する拡張アクセス禁止パラメータを含まない場合に、ＵＥは、カテゴリＡに対応する拡張アクセス禁止パラメータをマッチさせる必要があるなどである。システム情報が、カテゴリＡに対応する拡張アクセス禁止パラメータを含む場合に、カテゴリＣのＵＥは、カテゴリＡに対応する拡張アクセス禁止パラメータを適用し、システム情報が、カテゴリＡに対応する拡張アクセス禁止パラメータを含まない場合に、ＵＥは、アクセス・クラス禁止パラメータをマッチさせる必要がある。
【００４８】
ステップ１０８：ＵＥは、第２のマッチの結果が、拡張アクセス禁止パラメータであるかどうかを決定し、拡張アクセス禁止パラメータである場合に、ＵＥは、ステップ１０９を実施し、そうでない場合に、ステップ１１１を実施する。
【００４９】
ステップ１０９：ＵＥは、拡張アクセス禁止パラメータに基づいてアクセス決定を実施する。拡張アクセス禁止パラメータは、異なるアクセス・クラスについての禁止されたもの、または禁止されていないものの情報を含むので、ＵＥは、アクセス・クラスに従って禁止されたもの、または禁止されていないものの対応する情報をチェックする。
【００５０】
ステップ１１０：ＵＥは、拡張アクセス禁止に基づいてアクセス決定を実施する結果が、禁止されるかどうかを決定し、すなわち、ＵＥが、拡張アクセス禁止パラメータに基づいたアクセス決定の結果が禁止されることを見出す場合、ＵＥは、ランダム・アクセスを開始することができず、ＵＥのアクセス制御は、失敗し、ＵＥのＡＳは、アクセス決定が、拡張アクセス禁止に従って、禁止される（または失敗と呼ばれる）情報についてそのＮＡＳに通知する必要があり、ＵＥが、拡張アクセス禁止による決定結果が禁止されていないことを見出す場合、ステップ１１１を実施する。
【００５１】
ステップ１１１：ＵＥは、アクセス・クラス禁止パラメータに基づいてアクセス決定を実施する。ここでは、アクセス・クラス禁止パラメータが、モバイル開始サービス（ａｃ−バーリング・フォーＭＯ−データ（ａｃ−ＢａｒｒｉｎｇＦｏｒＭＯ−Ｄａｔａ））のためのアクセス・クラス禁止と、モバイル開始信号（ａｃ−バーリング・フォーＭＯ−信号（ａｃ−ＢａｒｒｉｎｇＦｏｒＭＯ−Ｓｉｇｎａｌｌｉｎｇ））のためのアクセス・クラス禁止とを含むので、ＵＥは、それらのうちの１つをランダムに選択して、アクセス決定を実施できることに注意されたい。ＵＥが、ａｃ−バーリング・フォーＭＯ−データを選択して、アクセス決定を実施できることなどであり、またこの部分は、現在のメカニズムであり、またここでは説明されないであろう。ＵＥによって実施されるアクセス・クラス禁止パラメータに基づいたアクセス決定が、禁止される場合に、ＵＥのアクセス制御は、失敗し、またＵＥのＡＳは、アクセス・クラス禁止に基づいたアクセス決定が禁止されるという情報について、そのＮＡＳに通知する必要があり、ＵＥによって実施されるアクセス・クラス禁止パラメータに基づいたアクセス決定が、禁止されていない場合に、ＵＥは、ランダム・アクセスを開始し、またＲＲＣを確立してサービスを行うことができる。
【００５２】
この実施形態においては、ＵＥは、有効なＡＣ  １１を有しており、またＵＥは、ａｃ−バーリング・フォー・スペシャルＡＣ（ａｃ−ＢａｒｒｉｎｇＦｏｒＳｐｅｃｉａｌＡＣ）の第１のビットが０である（すなわち禁止されていない）かどうかをチェックする。ａｃ−バーリング・フォー・スペシャルＡＣは、全部で５ビットを含んでおり、この５ビットは、ＡＣ  １１〜１５についてのそれぞれ禁止パラメータを構成し、ＡＣ  １１に対応するアクセス禁止パラメータが、０である場合、ＵＥは、現在のセルが、禁止されていないことを考慮する。本実施形態におけるＵＥは、有効な、また通常でないアクセス・クラス（ＡＣ  １１）を含んでおり、いくつかのＵＥは、ＡＣ  １２やＡＣ  １４など、複数の有効で通常でないアクセス・クラスを有しているが、そのときにはＵＥは、ＡＣ  １２とＡＣ  １４とのためのａｃ−バーリング・フォー・スペシャルＡＣにおいて構成されたアクセス禁止パラメータをチェックする必要があり、またそれらのパラメータのうちの少なくとも１つが、０である（すなわち禁止されていない）場合だけに、ＵＥは、現在のセルが、禁止されていないことを考慮し、また現在のセルにアクセスすることができる。
【００５３】
本実施形態は、拡張アクセス禁止パラメータに従ってアクセス制御を実施する詳細なフロー・チャートを提案しており、これにより、ＵＥは、ネットワークにアクセスするときに、ネットワーク側によって構成されるパラメータに従って正しくアクセス制御を実施できるようになり、これは、ネットワーク側が、ネットワークにアクセスするＵＥの数量と過負荷などとを制御するために役に立ち、それによってネットワークの通常の実行を実現し、またネットワークが、遅延許容サービスを開始するより多くのＵＥに対してサービスすることを可能にする。
【００５４】
本実施形態は、ＬＴＥのアクセス制御プロセスを説明しているが、本実施形態はまた、ＵＭＴＳの場合にも適用されることに注意する必要がある。
【００５５】
詳細な実施形態２
ＬＴＥシステムにおいては、ＵＥは、基地局のセルの中に存在し、またＵＥは、アイドル状態にある。ＵＥのＵＳＩＭは、有効な拡張アクセス禁止を用いて構成されており、それに加えて、ＵＥのＵＳＩＭは、ＵＥのアクセス・クラスが、５であることを示しており、すなわち、アクセス・クラスは、５である。
【００５６】
ＵＥが、遅延許容サービスを開始する必要があるときに、ＵＥのＮＡＳは、ＵＥのＡＳに対して遅延許容範囲の確立原因を送信する。ＵＥのＡＳにおいて実施されるアクセス決定のプロセスは、図３のように示される。
【００５７】
ステップ２０１：ＵＥのＡＳは、そのＮＡＳのサービス要求を受信し、またサービスの確立原因は、遅延許容範囲である。
【００５８】
ステップ２０２：ＵＥは、待ち時間タイマー（Ｔ３０２）、またはユーザによって開始されるデータ・サービスのために設定されるアクセス禁止タイマー（Ｔ３０３）が、作動しているかどうかを決定し、作動している場合、ＵＥは、セルに対するアクセスが禁止されるものと考え、タイマーのどちらも作動していない場合には、ＵＥは、ステップ２０３を実施する。
【００５９】
ステップ２０３：ＵＥは、システム情報が、アクセス・クラス禁止パラメータを含むかどうかを決定し、これらのアクセス・クラス禁止パラメータは、この実施形態においては、ａｃ−バーリング・フォーＭＯ−データを意味しており、システム情報が、そのパラメータを含まない場合に、ＵＥは、ステップ２０９を実施し、システム情報が、そのパラメータを含む場合に、ＵＥは、ステップ２０４を実施する。
【００６０】
ステップ２０４：ＵＥが、有効な通常でないアクセス・クラス（すなわち、ＡＣ  １１〜１５のうちの１つまたは複数）を含むかどうか、含む場合に、ＵＥは、ステップ２０５を実施し、そうでない場合には、ステップ２０６を実施する。
【００６１】
ステップ２０５：ＵＥは、ａｃ−バーリング・フォーＭＯ−データに含まれる通常でないアクセス・クラス（ＡＣ  １１〜１５）（ａｃ−バーリング・フォー・スペシャルＡＣ）についての禁止パラメータが、通常でないアクセス・クラスに対応する０−という値の禁止パラメータを含む（ａｃ−バーリング・フォーＭＯ−データのうちの少なくとも１つが０である）かどうかをチェックし、含む場合には、ＵＥは、それが現在のセルにアクセスすることができることを考慮し、あるいはステップ２０６を実施する。
【００６２】
ここで、ａｃ−バーリング・フォー・スペシャルＡＣが、全部で５ビットを含んでおり、これらの５ビットは、ＡＣ  １１〜１５についてのそれぞれのａｃ−バーリング・フォーＭＯ−データを構成することに注意する必要がある。
【００６３】
ステップ２０６：ＵＥは、０と１との間に一様に分布している乱数ＲＡＮＤを生成する。
【００６４】
ステップ２０７：ＵＥは、ＲＡＮＤが、ａｃ−バーリング・フォーＭＯ−データの中に含まれるパラメータであるａｃ−バーリング・ファクタ（ａｃ−ＢａｒｒｉｎｇＦａｃｔｏｒ）よりも小さいかどうかを決定する。ＲＡＮＤが、ａｃ−バーリング・ファクタよりも小さい場合に、ＵＥは、ステップ２０８を実施し、そうでない場合に、ＵＥは、現在のセルにアクセスすることができない。ＵＥが現在のセルにアクセスすることができない場合、ＵＥは、アクセス・クラス禁止に基づいたアクセス決定が禁止される（または失敗と呼ばれる）という情報についてそのＮＡＳに通知する必要があり、ＵＥのＮＡＳが、その情報を取得するときに、それは、絶えずネットワークにアクセスしようと試みることによって引き起こされる電力消費を回避するために、ネットワークに再アクセスする時間（長い間にわたって待つ必要があり、ここではＴ１と呼ばれる）を決定する。
【００６５】
ステップ２０８：ＵＥは、システム情報ブロック（ＳＩＢ）が、ＵＥによって選択されるネットワークに対応する拡張アクセス禁止パラメータを含み、または拡張アクセス禁止パラメータを含むかどうかを決定し、含む場合に、ＵＥは、ステップ２０９を実施し、含まない場合には、ＵＥは、それが、現在のセルにアクセスできることを考慮する。
【００６６】
ステップ２０９〜ステップ２１３は、実施形態１におけるステップ１０６〜１１０と同じである。これらのステップにおいては、拡張アクセス禁止に基づいたアクセス決定が、禁止される（または失敗と呼ばれる）情報を見出す場合に、ＵＥは、拡張アクセス禁止に基づいたアクセス決定が、禁止される（または失敗と呼ばれる）情報についてそのＮＡＳに通知する必要があり、ＵＥのＮＡＳが、その情報を取得するときに、それは、ネットワークに再アクセスする時間（長い時間にわたって待つ必要があり、ここではＴ２と呼ばれる）を決定する。拡張アクセス禁止パラメータの導入は、ＵＥの遅延許容サービスを開始することを制御することであり、またＵＥは、より大きな遅延を許容できるので、拡張アクセス禁止パラメータに基づいたアクセス決定が禁止される場合に、このことは、ネットワークが、ＵＥのアクセスを禁止する必要があることを意味しており、ＵＥは、より長い時間にわたって、すなわちＴ２＞Ｔ１にわたって待つ必要があり、またＵＥのＮＡＳは、サービス要求を再開するためにより長い時間にわたって待つ必要がある。
【００６７】
競合のない場合には、本出願における複数の実施形態と、複数の実施形態の特徴とは、どのようなやり方でも互いに結合され得ることに注意する必要がある。
【００６８】
確かに、本発明は、本発明の精神および本質を逸脱することなく、依然として、他の複数の実施形態を有しており、当業者なら、本発明による様々な種類の対応する変更形態および修正形態を作ることができるが、これらの対応する変更形態および修正形態は、本発明によって添付される特許請求の範囲の保護範囲に属するべきである。
【００６９】
当業者は、上記方法におけるステップの全部または一部が、プログラムが関連したハードウェアに指示することによって達成され、プログラムは、ＲＯＭ、ディスク（ｄｉｓｋｓ）、ディスク（ｄｉｓｃｓ）などのコンピュータ読取り可能ストレージ媒体に記憶され得ることを理解することができる。オプションとして、上記実施形態におけるステップの全部または一部が、１つまたは複数の集積回路によって達成される可能性もある。対応して、上記実施形態における各モジュール／ユニットは、ハードウェア機能モジュール、またはソフトウェア機能モジュールとして達成される可能性もある。本発明は、ハードウェアと、ソフトウェアとの任意の特定の形態の組合せだけには限定されない。
【図１】
0005873184.tif 000002
【図２】
0005873184.tif 000003
【図３】
0005873184.tif 000004